(57)【要約】【課題】  コンテンツナビゲーション方法及びそのコンテンツナビゲーション装置が開示される。【解決手段】  本コンテンツナビゲーション方法は、接触を検知し、検知した接触に対する検知情報を生成するステップと、検知情報に基づいて検知された接触が電気センサーのセンシングによる連続的な移動検知であるか機械的ボタンの押圧検知であるかを判断するステップと、電気センサーによる連続的な移動であると判断されれば、メニュー画面を検知情報に基づいて電気センサーの移動により回転表示し、機械的ボタンの押圧であると判断されれば、メニュー画面を記機械的ボタンの押圧によって回転表示するステップと、を含む。これによって、単純なコンテンツメニュー構造および操作の容易なコンテンツナビゲーション手段を指向することによって、誰しもが容易にデジタルコンテンツを利用することができる。【選択図】      図６
2007183914.tif 000002
【特許請求の範囲】
【請求項１】
接触を検知し、前記検知した接触に対する検知情報を生成するステップと、
前記検知情報に基づいて前記検知された接触が電気センサーのセンシングによる連続的な移動検知であるか機械的ボタンの押圧検知であるかを判断するステップと、
前記電気センサーによる連続的な移動であると判断されれば、メニュー画面を前記検知情報に基づいて前記電気センサーの移動により回転表示し、前記機械的ボタンの押圧であると判断されれば、前記メニュー画面を前記機械的ボタンの押圧によって回転表示するステップとを含むことを特徴とするコンテンツナビゲーション方法。
【請求項２】
前記検知情報が、前記接触の種類、タッチされた前記電気センサーの個数、タッチされた移動方向、及びタッチされた移動速度の少なくともいずれか１つを含むことを特徴とする請求項１に記載のコンテンツナビゲーション方法。
【請求項３】
前記メニュー画面が、左右に回転される円型、及び上下に回転される円型のいずれか１つに配置されることを特徴とする請求項１に記載のコンテンツナビゲーション方法。
【請求項４】
前記電気センサーの移動による回転表示ステップが、前記タッチされた前記電気センサーの個数、前記タッチされた移動方向、及び前記タッチされた移動速度を考慮して前記メニュー画面を回転表示することを特徴とする請求項１に記載のコンテンツナビゲーション方法。
【請求項５】
前記電気センサーの移動による回転表示ステップが、前記タッチされた移動方向が時計回りであれば、左右に回転される円型に配置されたメニュー画面を時計回りに回転表示し、前記タッチされた移動方向が反時計回りであれば、前記左右に回転される円型に配置されたメニュー画面を反時計回りに回転表示することを特徴とする請求項４に記載のコンテンツナビゲーション方法。
【請求項６】
前記電気センサーの移動による回転表示ステップが、前記タッチされた移動方向が時計回りであれば、上下に回転される円型に配置されたメニュー画面を上方に回転表示し、前記タッチされた移動方向が反時計回りであれば、前記上下に回転される円型に配置されたメニュー画面を下方に回転表示することを特徴とする請求項４に記載のコンテンツナビゲーション方法。
【請求項７】
前記電気センサーの移動による回転表示ステップが、前記タッチされた前記電気センサーの個数が所定の個数以下である場合には前記メニュー画面を回転移動しないことを特徴とする請求項４に記載のコンテンツナビゲーション方法。
【請求項８】
前記電気センサーの移動による回転表示ステップが、前記タッチされた移動方向及び前記タッチされた移動速度が存在しない場合には、前記メニュー画面を回転移動しないことを特徴とする請求項４に記載のコンテンツナビゲーション方法。
【請求項９】
前記電気センサーの移動による回転表示ステップが、予め設定された基準速度に応じて前記メニュー画面のメニュー個体をスキップし移動されるように表示し、前記タッチされた移動速度に問わず前記メニュー画面のメニュー個体の移動速度を同一にすることを特徴とする請求項４に記載のコンテンツナビゲーション方法。
【請求項１０】
前記機械的なボタンの押圧による回転表示ステップが、前記機械式ボタンの上、下、左、右ボタンのいずれか１つによって前記メニュー画面を上、下、左、右方向のいずれか一方向に移動表示することを特徴とする請求項１に記載のコンテンツナビゲーション方法。
【請求項１１】
メニュー画面を生成するＧＵＩ部と、
接触を検知し、前記検知した接触に対する検知情報を生成する入力検知部と、
前記検知情報に基づいて前記検知された接触が電気センサーのセンシングによる連続的な移動検知であるか、機械的なボタンの押圧検知であるかを判断し、前記電気センサーによる連続的な移動であると判断されれば、前記メニュー画面を前記検知情報に基づいて前記電気センサーの移動により回転表示し、前記機械的なボタンの押圧であると判断されれば、前記メニュー画面を前記機械的なボタンの押圧によって回転表示するよう前記ＧＵＩ部を制御する制御部とを含むことを特徴とするコンテンツナビゲーション装置。
【請求項１２】
四方向方式とタッチ認識ホイール方式とを組み合わせた円型モチーブナビゲーションキーを備えるキー入力部を更に含み、
前記円型モチーブナビゲーションキーが、前記四方向方式を具現するために上、下、左、右四つの前記機械式ボタンと、
前記タッチ認識ホイール方式を具現するために所定間隔で円型に備えられた所定個数の前記電気センサーとを含むことを特徴とする請求項１１に記載のコンテンツナビゲーション装置。
【請求項１３】
前記キー入力部が、
前記円型モチーブナビゲーションキーの中央に位置する選択キーと、
前記円型モチーブナビゲーションキーと分離された戻し／取り消し命令を入力するための戻し／取り消しキーと、
メインメニューに戻るという命令を入力するためのホームキーとを更に含むことを特徴とする請求項１２に記載のコンテンツナビゲーション装置。
【請求項１４】
前記検知情報が、前記接触の種類、タッチされた前記電気センサーの個数、タッチされた移動方向、及びタッチされた移動速度の少なくともいずれか１つを含むことを特徴とする請求項１１に記載のコンテンツナビゲーション装置。
【請求項１５】
前記ＧＵＩ部が、前記メニュー画面を左右に回転される円型及び上下に回転される円型のいずれか１つに配置されることを特徴とする請求項１１に記載のコンテンツナビゲーション装置。
【請求項１６】
前記制御部が、前記電気センサーの移動により前記タッチされた前記電気センサーの個数、前記タッチされた移動方向、及び前記タッチされた移動速度を考慮し前記メニュー画面を回転表示することを特徴とする請求項１１に記載のコンテンツナビゲーション装置。
【請求項１７】
前記制御部が、前記電気センサーの移動により前記タッチされた移動方向が時計回りであれば、左右に回転される円型に配置されたメニュー画面を時計回りに回転表示し、前記タッチされた移動方向が反時計回りであれば、前記左右に回転される円型に配置されたメニュー画面を反時計回りに回転表示することを特徴とする請求項１６に記載のコンテンツナビゲーション装置。
【請求項１８】
前記制御部が、前記電気センサーの移動により前記タッチされた移動方向が時計回りであれば、上下に回転される円型に配置されたメニュー画面を上方に回転表示し、前記タッチされた移動方向が反時計回りであれば、前記上下に回転される円型に配置されたメニュー画面を下方に回転表示することを特徴とする請求項１６に記載のコンテンツナビゲーション装置。
【請求項１９】
前記制御部が、前記電気センサーの移動により前記タッチされた前記電気センサーの個数が所定の個数以下である場合は前記メニュー画面を回転移動しないことを特徴とする請求項１６に記載のコンテンツナビゲーション装置。
【請求項２０】
前記制御部が、前記電気センサーの移動により前記タッチされた移動方向及び前記タッチされた移動速度が存在しない場合には、前記メニュー画面を回転移動しないことを特徴とする請求項１６に記載のコンテンツナビゲーション装置。
【請求項２１】
前記制御部が、前記電気センサーの移動により予め設定された基準速度に応じて前記メニュー画面のメニュー個体をスキップし移動されるように表示し、前記タッチされた移動速度に問わず前記メニュー画面のメニュー個体の移動速度を同一にすることを特徴とする請求項１６に記載のコンテンツナビゲーション装置。
【請求項２２】
前記制御部が、前記機械的なボタンの押圧により前記機械式ボタンの上、下、左、右ボタンのいずれか１つによって前記メニュー画面を上、下、左、右方向のいずれか一方向に移動表示することを特徴とする請求項１１に記載のコンテンツナビゲーション装置。
【発明の詳細な説明】
【技術分野】
【０００１】
本発明はコンテンツナビゲーション方法及びそのコンテンツナビゲーション方法を提供する装置に関し、詳細には、円型モチーブの適用を基盤にしてホーイルナビゲーション方式、及び４方向ナビゲーション方式を組み合わせて簡単なナビゲーション手段を提供し、直観力の優れたユーザインターフェースを提供するコンテンツナビゲーション方法及びそのコンテンツナビゲーション装置に関する。
【背景技術】
【０００２】
近来、有無線通信網を通じてデジタルコンテンツ及びモバイルコンテンツのような様々なコンテンツが提供されている。一例として、デジタルＴＶは有無線通信網を介して映画、音楽、ゲーム及びデジタル放送などのデジタルコンテンツを提供し、移動通信端末も有無線通信網を介してデジタル放送、カラオケ、及びゲームなどのモバイルコンテンツを提供する。
【０００３】
係る様々なコンテンツを提供する装置として、デジタルＴＶ，セットトップボックス、移動通信端末、ＭＰ３プレーヤー、ＰＭＰ及びＰＤＡなどが挙げられる。この装置はコンテンツナビゲーション手段を備えて、ユーザの数多いコンテンツ探索のためのユーザインターフェース（ＵＩ）及びコンテンツナビゲーション方法を提供する。
【０００４】
図１Ａは、従来のコンテンツナビゲーション方法の一実施の形態を図示した図面である。同図に示すように、従来のコンテンツナビゲーション装置はクロスメディアバー（Ｃｒｏｓｓ−Ｍｅｄｉａ  Ｂａｒ）方式のＧＵＩ（グラフィックユーザインタフェース）１０及び四方向方式のＰＵＩ（フィジカルユーザインタフェース）１５を提供する。詳細には、上、下、左、右キーを操作してコンテンツメニューを上、下、左、右に移動し、上、下、左、右キー以外の他のキーを用いてコンテンツを選択及び取り消す。これは、全体的なコンテンツを見易くしたメニュー構造を有し、四方向キーを使うことによって容易に学習される。
【０００５】
しかし、コンテンツの数が増えてゆき、四方向キーの操作数が線形的に増加することから、下位メニューに行くほどメインメニューに戻すためのキー操作の数も増加していまい、ユーザが不便さを感じざるを得ない不都合がある。
【０００６】
図１Ｂは、従来のコンテンツナビゲーション方法の他の実施形態を図示した図面である。同図に示すように、他の従来のコンテンツナビゲーション装置は、ホイール基盤階層（Ｗｈｅｅｌ  ｂａｓｅｄ  ｈｉｅｒａｒｃｈｉｃａｌ）方式のＧＵＩ１００及びホイール方式のＰＵＩ１５０を提供した。詳細には、上、下、左、右ホイールを操作しコンテンツメニューを上，下，左，右に移動する。また、ホイール以外の他のキーを用いてコンテンツを選択及び取り消す。これは、１次元構造で構成された多数のコンテンツメニューを選択するに便利であった。
【０００７】
しかし、微細操作が難しいのみならずメニュー構造が複雑になるほど現位置が分かり難いことから、下位メニューのメインメニューを探すことが難しく、且つメインメニューに戻ることが複雑である問題がある。
【特許文献１】日本公開特許第２００４−３２６４０２号公報
【特許文献２】日本公開特許第１９９９−３５１８９８号公報
【特許文献３】韓国公開特許第２００５−００５０８０３号公報
【特許文献４】韓国公開特許第２００５−００２１９２５号公報
【発明の開示】
【発明が解決しようとする課題】
【０００８】
本発明の目的は、早いコンテンツ検索が可能であり、直観的で且つ一貫性のあるＧＵＩを提供するコンテンツナビゲーション方法及びそのコンテンツナビゲーション装置を提供することにある。
【０００９】
また、本発明の他の目的は、操作が容易ながらも単純であり、学習性の優れたＰＵＩを提供するコンテンツナビゲーション方法及びそのコンテンツナビゲーション装置を提供することにある。
【課題を解決するための手段】
【００１０】
前述した目的を達成するための本発明に係るコンテンツナビゲーション方法は、接触を検知し、前記検知した接触に対する検知情報を生成するステップと、前記検知情報に基づいて前記検知された接触が電気センサーのセンシングによる連続的な移動検知であるか機械的ボタンの押圧検知であるかを判断するステップと、前記電気センサーによる連続的な移動であると判断されれば、メニュー画面を前記検知情報に基づいて前記電気センサーの移動により回転表示し、前記機械的ボタンの押圧であると判断されれば、前記メニュー画面を前記機械的ボタンの押圧によって回転表示するステップと、を含む。
【００１１】
前記検知情報が、前記接触の種類、タッチされた前記電気センサーの個数、タッチされた移動方向、及びタッチされた移動速度の少なくともいずれか１つを含むことが好ましい。
【００１２】
好ましくは、前記メニュー画面が、左右に回転される円型、及び上下に回転される円型のいずれか１つに配置される。
【００１３】
詳細には、前記電気センサーの移動による回転表示ステップが、前記タッチされた前記電気センサーの個数、前記タッチされた移動方向、及び前記タッチされた移動速度を考慮して前記メニュー画面を回転表示する。
【００１４】
そして、前記電気センサーの移動による回転表示ステップが、前記タッチされた移動方向が時計回りであれば、左右に回転される円型に配置されたメニュー画面を時計回りに回転表示し、前記タッチされた移動方向が反時計回りであれば、前記左右に回転される円型に配置されたメニュー画面を反時計回りに回転表示する。
【００１５】
さらに、前記電気センサーの移動による回転表示ステップが、前記タッチされた移動方向が時計回りであれば、上下に回転される円型に配置されたメニュー画面を上方に回転表示し、前記タッチされた移動方向が反時計回りであれば、前記上下に回転される円型に配置されたメニュー画面を下方に回転表示する。
【００１６】
前記電気センサーの移動による回転表示ステップが、前記タッチされた前記電気センサーの個数が所定の個数以下である場合には前記メニュー画面を回転移動しないことが好ましい。
【００１７】
さらに、前記電気センサーの移動による回転表示ステップが、前記タッチされた移動方向及び前記タッチされた移動速度が存在しない場合には、前記メニュー画面を回転移動しないことが好ましい。
【００１８】
また、前記電気センサーの移動による回転表示ステップが、予め設定された基準速度に応じて前記メニュー画面のメニュー個体をスキップし移動されるように表示し、前記タッチされた移動速度に問わず前記メニュー画面のメニュー個体の移動速度を同一にする。
【００１９】
また、前記機械的なボタンの押圧による回転表示ステップが、前記機械式ボタンの上、下、左、右ボタンのいずれか１つによって前記メニュー画面を上、下、左、右方向のいずれか一方向に移動表示することが好ましい。
【００２０】
一方、本発明のコンテンツナビゲーション装置は、メニュー画面を生成するＧＵＩ部と、接触を検知し、前記検知した接触に対する検知情報を生成する入力検知部と、前記検知情報に基づいて前記検知された接触が電気センサーのセンシングによる連続的な移動検知であるか、機械的なボタンの押圧検知であるかを判断し、前記電気センサーによる連続的な移動であると判断されれば、前記メニュー画面を前記検知情報に基づいて前記電気センサーの移動により回転表示し、前記機械的なボタンの押圧であると判断されれば、前記メニュー画面を前記機械的なボタンの押圧によって回転表示するよう前記ＧＵＩ部を制御する制御部と、を含む。
【００２１】
さらに、四方向方式とタッチ認識ホイール方式とを組み合わせた円型モチーブナビゲーションキーを備えるキー入力部を更に含み、前記円型モチーブナビゲーションキーが、前記四方向方式を具現するために上、下、左、右四つの前記機械式ボタンと、前記タッチ認識ホイール方式を具現するために所定間隔で円型に備えられた所定個数の前記電気センサーと、を含むことが好ましい。
【００２２】
なお、前記キー入力部が、前記円型モチーブナビゲーションキーの中央に位置する選択キーと、前記円型モチーブナビゲーションキーと分離された戻し／取り消し命令を入力するための戻し／取り消しキーと、メインメニューに戻るという命令を入力するためのホームキーと、を更に含む。
【００２３】
そして、前記検知情報が、前記接触の種類、タッチされた前記電気センサーの個数、タッチされた移動方向、及びタッチされた移動速度の少なくともいずれか１つを含むことが好ましい。
【００２４】
好ましくは、前記ＧＵＩ部が、前記メニュー画面を左右に回転される円型及び上下に回転される円型のいずれか１つに配置される。
【００２５】
前記制御部が、前記電気センサーの移動により前記タッチされた前記電気センサーの個数、前記タッチされた移動方向、及び前記タッチされた移動速度を考慮し前記メニュー画面を回転表示する。
【００２６】
詳細には、前記制御部が、前記電気センサーの移動により前記タッチされた移動方向が時計回りであれば、左右に回転される円型に配置されたメニュー画面を時計回りに回転表示し、前記タッチされた移動方向が反時計回りであれば、前記左右に回転される円型に配置されたメニュー画面を反時計回りに回転表示する。
【００２７】
また、前記制御部が、前記電気センサーの移動により前記タッチされた移動方向が時計回りであれば、上下に回転される円型に配置されたメニュー画面を上方に回転表示し、前記タッチされた移動方向が反時計回りであれば、前記上下に回転される円型に配置されたメニュー画面を下方に回転表示する。
【００２８】
このとき、前記制御部が、前記電気センサーの移動により前記タッチされた前記電気センサーの個数が所定の個数以下である場合は前記メニュー画面を回転移動しない。
【００２９】
さらに、前記制御部が、前記電気センサーの移動により前記タッチされた移動方向及び前記タッチされた移動速度が存在しない場合には、前記メニュー画面を回転移動しないことが好ましい。
【００３０】
好ましくは、前記制御部が、前記電気センサーの移動により予め設定された基準速度に応じて前記メニュー画面のメニュー個体をスキップし移動されるように表示し、前記タッチされた移動速度に問わず前記メニュー画面のメニュー個体の移動速度を同一にする。
【００３１】
そして、前記制御部が、前記機械的なボタンの押圧により前記機械式ボタンの上、下、左、右ボタンのいずれか１つによって前記メニュー画面を上、下、左、右方向のいずれか一方向に移動表示することが好ましい。
【発明の効果】
【００３２】
本発明によると、タッチ認識ホイール方式と四方向方式とを同時に支援することによってユーザが慣れ易く使用すると同時に、ホイール方式の短所である微細操作の難しさを四方向ボタンによって補完する。
【００３３】
ホイール方式に基づきコンテンツの個数が増加しても早いブラウジングが可能になり、円型モチーブのコンテンツメニュー画面を提供することによりメニュー個体の移動及びメニュー階層の移動を直観的に認識することができる。
【００３４】
さらに、単純なコンテンツメニュー構造及び操作が容易いコンテンツナビゲーション手段を指向することにより誰もがデジタルコンテンツを利用できる。
【発明を実施するための最良の形態】
【００３５】
以下、添付の図面に基づいて本発明の好適な実施形態を詳述する。
（実施形態）
図２は本発明の一実施の形態に係るコンテンツナビゲーション装置が適用されたホームネットワークシステムを示した図面である。
【００３６】
同図に示すように、ホームネットワークシステムは、セットトップボックス２００、ウェッブサーバー３００、及びＴＶ４００を含んでなる。
【００３７】
セットトップボックス２００は、様々なコンテンツを提供し、コンテンツを検索するためのコンテンツナビゲーションメニュー、及びコンテンツナビゲーション手段を提供するコンテンツナビゲーション装置の一例である。
【００３８】
詳細には、セットトップボックス２００は、操作が容易で且つ単純でありながらも学習性の優れたコンテンツナビゲーション手段を備える。また、セットトップボックス２００はウェッブサーバー３００を介して提供される映画、音楽、ゲーム、カラオケ及びデジタル放送などのような多様なコンテンツを、ユーザが認識し易くするために直観的で一貫性のあるコンテンツナビゲーションメニューを生成する。そして、セットトップボックス２００は、生成したコンテンツナビゲーションメニューをＴＶ４００にディスプレーし、コンテンツナビゲーション手段を利用してユーザの選択したコンテンツをＴＶ４００を通して提供する。
【００３９】
図３は本発明の一実施の形態に係るコンテンツナビゲーション装置のブロック図であり。
【００４０】
同図に示すように、本コンテンツナビゲーション装置は、通信インターフェース部２１０、キー入力部２２０、入力検知部２３０、保存部２４０、ＧＵＩ部２５０、表示部２６０、及び制御部２７０を含んでなる。
【００４１】
通信インターフェース部２１０は有無線通信を介してウェッブサーバー３００または無線基地局などのいずれかデータ通信のためのインターフェースを提供する。詳細に、通信インターフェース部２１０は、ウェッブサーバー３００または無線基地局などからコンテンツ情報及びコンテンツを受信する。
【００４２】
キー入力部２２０は、コンテンツナビゲーションのためのユーザ命令の入力手段として、ユーザにコンテンツナビゲーションＰＵＩを提供する。尚、キー入力部２２０は、四方向方式とタッチ認識ホイール方式とを組み合わせた円型モチーブナビゲーションキーを備える。タッチ認識ホイール方式とは、機械的な回転ではないタッチの認識による回転方式のことを指す。
【００４３】
そして、キー入力部２２０は、円型モチーブナビゲーションキーの中央に選択キーを備え、円型モチーブナビゲーションキーと分離された戻し／取り消し命令を入力するための戻し／取り消しキー、及びメインメニュー、すなわちホームに戻るという命令を入力するためのホームキーを備える。この時、キー入力部２２０は、コンテンツナビゲーション装置本体と一体に備えられるキーパッドであることができ、コンテンツナビゲーション装置の本体と分離して備えられたリモートコントローラーであることもできる。キー入力部２２０に対する具体的な説明を図４Ａ及び図４Ｂに基づいて説明する。
【００４４】
入力検知部２３０は、キー入力部２２０の入力を検知する。具体的に、入力検知部２３０はユーザの接触による円型モチーブナビゲーションキー入力が四方向方式によるキー入力であるか、あるいはタッチ認識ホイール方式によるキー入力であるかを検知する。そして、入力検知部２３０がタッチ認識ホイール方式のタッチ移動方向及びタッチ移動の速度を検知する。さらに、入力検知部２３０は選択キー、戻し／取り消しキー、及びホームキーの入力も検知する。
【００４５】
保存部２４０にはコンテンツナビゲーションＧＵＩすなわち、コンテンツメニュー生成のためのデータが保存される。そして，保存部２４０には入力検知部２３０の検知によるコンテンツメニューの移動制御を行なうためのデータが保存されている。
【００４６】
ＧＵＩ部２５０は、ユーザにコンテンツナビゲーションＧＵＩを提供する。詳細には、ＧＵＩ部２５０は後述する制御部２７０の制御に応じてユーザ命令に適するＧＵＩ、すなわちコンテンツメニューを生成する。表示部２６０にはＧＵＩ部２５０によって生成されたコンテンツメニューがディスプレーされる。
【００４７】
制御部２７０は、キー入力部２２０によって入力されたユーザ命令を読出し、この読み出されたユーザ命令に適するＧＵＩが生成されるようにＧＵＩ部２５０を制御する。具体的には、制御部２７０は入力検知部２３０によって検知された入力キーの種類、タッチ認識ホイール方式のタッチ移動方向、及びタッチ移動速度などを考慮してコンテンツメニューを移動生成するようＧＵＩ部２５０を制御する。
【００４８】
図４Ａ及び図４Ｂは本発明の一実施の形態に係るコンテンツナビゲーション装置に備えられたキー入力部を詳細に示した図面である。
【００４９】
図４Ａに示すように、キー入力部２２０は、戻し／取り消しキー２２２、ホームキー２２４、円型モチーブナビゲーションキー２２５、及び円型モチーブナビゲーションキー２２５の中央に選択キーを備える。
【００５０】
戻し／取り消しキー２２２は、コンテンツメニューの前のメニューとして、移動命令及びコンテンツメニュー選択取消し命令を入力するためのキーである。ホームキー２２４は、下位メニューからメインメニューに、すなわちホームに戻るという命令を入力するためのキーである。円型モチーブナビゲーションキー２２５は、四方向方式とタッチ認識ホイール方式とを組み合わせることよってコンテンツメニューの上，下，左，右といった移動命令を入力するためのキーである。
【００５１】
図４Ｂに示すように、円型モチーブナビゲーションキー２２５は、四方向方式を具現するための機械式ボタン２２７とタッチ認識ホイール方式を具現するための電気センサー２２９を備える。
【００５２】
機械式ボタン２２７は、上、下、左、右の四つのボタンが備えられ、押すことによってコンテンツメニューの上、下、左、右の移動命令が入力される。電気センサー２２９は、所定の間隔で１２個が円型に具備され、タッチ認識、即ちタッチのセンシングによりコンテンツメニューの時計回り及び反時計回りに回転命令の入力を受ける。
【００５３】
ここで、タッチ認識のために１２個の電気センサー２２９が備えられていると図示され説明するが、それは一実施の形態に過ぎず、もっと正確なセンシングを行なうためには１２個以下または以上の電気センサー２２９が備えられることもできる。
【００５４】
図５Ａないし図５Ｆは本発明の一実施の形態に係るコンテンツナビゲーション装置のコンテンツナビゲーション方法を説明するための図面である。
【００５５】
図５Ａに図示されたように、円型をモチーブにした初期コンテンツメニュー画面が表示部２６０にディスプレーされる。なお、初期コンテンツメニュー画面は各コンテンツメニュー（メニュー１ないしメニュー７）が左右に回転される円型に配置され、フォーカスが位置したコンテンツメニュー（メニュー１）が中央に位置する。この時、中央に位置したメニュー１の次のメニューであるメニュー２及びメニュー７はメニュー１より小さく生成し、メニュー３及びメニュー６はメニュー２及びメニュー７より更に小さく生成することによって、各コンテンツメニュー（メニュー１ないしメニュー７）の円型配置を表す。
【００５６】
一例として、メニュー１は映画メニューであり、メニュー２は音楽メニュー、メニュー３はゲームメニュー、メニュー４はカラオケメニューなどであり得る。
【００５７】
キー入力部２２０の円型モチーブナビゲーションキー２２５を時計回りにタッチすれば、図５Ｂに図示されたように、各コンテンツメニュー（メニュー１ないしメニュー７）が時計回りに回転し移動される。すなわち、制御部２７０は、入力検知部２３０によって円型モチーブナビゲーションキー２２５の時計回りタッチが検知されれば、時計回りタッチに対応して各コンテンツメニュー（メニュー１ないしメニュー７）を時計回りに回転表示されるようにＧＵＩ部２５０を制御する。これによってメニュー２が中央に位置されるようになる。これは、円型モチーブナビゲーションキー２２５の左側機械式ボタンが押されることにより具現される。
【００５８】
反対に、キー入力部２２０の円型モチーブナビゲーションキー２２５を反時計回りにタッチすれば，  各コンテンツメニュー（メニュー１ないしメニュー７）が反時計回りに回転し移動される。これでメニュー７が中央に位置するようになる。これは、円型モチーブナビゲーションキー２２５の右側機械式ボタンを押すことにより具現される。
【００５９】
この時、円型モチーブナビゲーションキー２２５の上下機械式ボタンによる命令は入力されない。
【００６０】
図５Ｃは、メニュー１にフォーカスが位置した状態において選択キーを利用し選択命令を入力した場合、メニュー１の下位メニューリスト画面である。下位メニューリスト画面は、各下位メニューリスト（メニュー１．１ないしメニュー１．１０）が上下に回転される円型に配置され、フォーカスが位置した下位メニュー（メニュー１．１）にはコンテンツのプレビュー画面及びメタデータの情報が表示される。そして、下位メニューの左右にはコンテンツメニュー（メニュー２、メニュー７）が表示されている。一例として、メニュー１が映画メニューである場合、メニュー１．１には映画のプレビュー画面及び映画情報が表示される。
【００６１】
キー入力部２２０の円型モチーブナビゲーションキー２２５を時計回りにタッチすれば，各下位メニューリスト（メニュー１．１ないしメニュー１．１０）が上方へ回転し移動される。すなわち、制御部２７０は入力検知部２３０によって円型モチーブナビゲーションキー２２５の時計回りタッチが検知されれば、時計回りタッチに対応して各下位メニューリスト（メニュー１．１ないしメニュー１．１０）が上方へ回転表示されるようＧＵＩ部２５０を制御する。これにより、メニュー１．２にフォーカスが位置される。これは、円型モチーブナビゲーションキー２２５の上側における機械式ボタンを押すことにより具現される。
【００６２】
反対に、キー入力部２２０の円型モチーブナビゲーションキー２２５を反時計回りにタッチすれば、各下位メニューリスト（メニュー１．１ないしメニュー１．１０）が下方へ回転し移動される。これによりメニュー１．１０が中央に位置し、これは、円型モチーブナビゲーションキー２２５の下側における機械式ボタンを押すことにより具現される。
【００６３】
図５Ｄはメニュー１．１にフォーカスが位置した状態において、選択キーを用いて選択命令を入力した場合のメニュー１．１の下位メニュー画面であり、図５Ｅはメニュー１．１の下位メニュー１．１．１にフォーカスが位置した状態で選択キーを利用して選択命令を入力した場合のメニュー１．１．１の下位メニューリストに対する画面である。このように、メニュー画面を円型で配置することによってメニュー画面にいずれの種類のコンテンツメニューがあるか否かを直観的に認識できるようにするだけでなく、画面のメニュー個体が移動されることも容易に認識できる。また、上位階層メニュー画面が左右に回転される円型メニューで配置すれば下位階層メニュー画面が上下に回転される円型メニューリストで配置することより、メニュー画面の階層が移動されたことを認識できる。
【００６４】
また、左右に回転される円型に配置されたメニュー画面では、上下機械式ボタンによる命令が入力されないことによってメニューの移動を容易にすると同時にユーザへの混乱を防ぐことができる。さらに、メニューの数が多いため一画面にディスプレーし切れない場合は一画面にディスプレーすることのできないリストは省略し隠すことで直観性を高めることができる。
【００６５】
図５Ｆは最終コンテンツメニューで選択キーが利用されて選択命令を入力した場合のメニュー画面の一例である。その一例として、映画メニューを選択した場合、映画のプレビュー画面及び映画の詳細情報が表示され、プレビュー及び決済などのメニューが表示される。なお、円型モチーブナビゲーションキー２２５の左右機械式ボタンによってプレビューまたは決済を選択できる。この画面でナビゲーションメニューは現在配置されている左右方向だけではなく、四方向の機械式ボタン２２７にすべて対応できることから上下にも配置できる。
【００６６】
この時、図５Ｂないし図５Ｆに図示されたいずれのメニュー画面でも、キー入力部２２０のホームキー２２４を押せば、図５Ａに図示された初期コンテンツメニュー画面に移動される。これで初期コンテンツメニュー画面に戻るために多くのステップを踏まないことからユーザの快適さが増大する。
【００６７】
図６は本発明の一実施の形態に係るコンテンツナビゲーション装置のコンテンツナビゲーション方法を説明するためのフローチャートである。
【００６８】
同図に示すように、入力検知部２３０は、接触、例えばユーザによる人体接触を検知する（Ｓ６００）。この時、入力検知部２３０は、キー入力部２２０に備えられた円型モチーブナビゲーションキー２２５の機械式ボタン２２７の押圧によって人体接触を検知したり、あるいは電気センサー２２９のセンシングによって人体接触を検知する。そして、入力検知部２３０は検知情報を制御部２７０へ伝達する。検知情報として、検知された入力キーの種類、ここで入力キーの種類は電気センサー２２９である場合にはタッチセンサーの個数、タッチ移動方向、及びタッチ移動速度などが含まれる。
【００６９】
制御部２７０は、入力検知部２３０の検知情報によって電気的スィッチ、すなわち電気センサーの連続的な移動であるかを判断する（Ｓ６１０）。
【００７０】
電気センサーの連続的な移動であると判断されれば（Ｓ６１０−Ｙ）、制御部２７０はメニュー画面をセンサーのホイール移動処理を行なう（Ｓ６２０）。具体的に、制御部２７０はタッチ移動方向、及びタッチ移動速度などを考慮してメニュー画面を回転表示制御する。この時、制御部２７０は検知情報に含まれているタッチセンサーの個数が２〜３つである場合、メニュー画面を回転移動しないようにＧＵＩ部２５０を制御する。これは電気センサー２２９の配置間隔及び指の大きさなどを考慮したものである。また、制御部２７０は検知情報に含まれたタッチ移動方向及びタッチ移動速度がない場合、すなわちタッチは検知できるもののタッチ移動が検知されない場合にはメニュー画面を回転移動しないよう制御する。これは、機械式ボタン２２７処理との混沌を減らすためである。
【００７１】
そして、制御部２７０は、予め設定されたタッチ移動速度基準に基づいてメニュー画面の回転表示を制御する。具体的に、検知情報に含まれたタッチ移動速度が予め設定された基準速度の以上であれば、制御部２７０は予め設定された基準速度に応じて画面のメニュー個体を２〜３つずつスキップして移動されるように制御する。一例として、２（ｃｍ／ｓ）の速度で電気センサー２２９がタッチされる場合１つのメニューを回転移動し、３（ｃｍ／ｓ）の速度にタッチされる場合は２つのメニューを回転移動する。また、４（ｃｍ／ｓ）の速度にタッチされる場合は３つのメニューを回転移動することにし、予め設定されていると仮定する。入力検知部２３０によってタッチ移動速度が４（ｃｍ／ｓ）に検知されれば、制御部２７０は２つのメニュー個体をスキップして３番目メニューが中央に位置すべく制御する。
【００７２】
この時、制御部２７０はタッチ移動速度の基準に限界を設定し、検知されたタッチ移動速度が早くとも画面のメニュー個体移動をユーザが認識するようにする。また、制御部２７０は、検知されたタッチ移動速度に問わず画面のメニュー個体移動速度を同一に制御する。これはユーザがメニューの移動を直観的に認識させるためのものであって、メニュー移動によるユーザの混乱が減らし得る。
【００７３】
Ｓ６１０ステップにおいて、電気センサーの連続的な移動ではないと判断されれば（Ｓ６１０−Ｎ）、制御部２７０は機械的なスィッチ、すなわち機械式ボタン２２７が押されたと判断する（Ｓ６３０）。
【００７４】
機械式ボタン２２７が押されたと判断されれば、制御部２７０はメニュー画面を機械式の４方向ボタン処理を行なう（Ｓ６４０）。詳細には、制御部２７０は検知情報に含まれた入力キーの種類に基づいて機械式ボタン２２７の上，下，左，右ボタンのいずれか１つによって画面のメニュー個体を上，下，左，右方向のうちいずれか１方向に移動すべく制御する。
【００７５】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００７６】
【図１Ａ】従来のコンテンツナビゲーション方法の一例を示した図である。
【図１Ｂ】従来のコンテンツナビゲーション方法の他の例を示した図である。
【図２】本発明の一実施の形態に係るコンテンツナビゲーション装置が適用されたホームネットワークシステムを示した図である。
【図３】本発明の一実施の形態に係るコンテンツナビゲーション装置を示すブロック図である。
【図４Ａ】本発明の一実施の形態に係るコンテンツナビゲーション装置に具備されたキー入力部を具体的に示した図である。
【図４Ｂ】本発明の一実施の形態に係るコンテンツナビゲーション装置に具備されたキー入力部を具体的に示した図である。
【図５Ａ】本発明の一実施の形態に係るコンテンツナビゲーション装置のコンテンツナビゲーション方法を説明するための図である。
【図５Ｂ】本発明の一実施の形態に係るコンテンツナビゲーション装置のコンテンツナビゲーション方法を説明するための図である。
【図５Ｃ】本発明の一実施の形態に係るコンテンツナビゲーション装置のコンテンツナビゲーション方法を説明するための図である。
【図５Ｄ】本発明の一実施の形態に係るコンテンツナビゲーション装置のコンテンツナビゲーション方法を説明するための図である。
【図５Ｅ】本発明の一実施の形態に係るコンテンツナビゲーション装置のコンテンツナビゲーション方法を説明するための図である。
【図５Ｆ】本発明の一実施の形態に係るコンテンツナビゲーション装置のコンテンツナビゲーション方法を説明するための図である。
【図６】本発明の一実施の形態に係るコンテンツナビゲーション装置のコンテンツナビゲーション方法を説明するためのフローチャートである。
【符号の説明】
【００７７】
２１０      通信インターフェース部
２２０      キー入力部
２３０      入力検知部
２４０      保存部
２５０      ＧＵＩ部
２６０      表示部
２７０      制御部
【図１Ａ】
2007183914.tif 000003
【図１Ｂ】
2007183914.tif 000004
【図２】
2007183914.tif 000005
【図３】
2007183914.tif 000006
【図４Ａ】
2007183914.tif 000007
【図４Ｂ】
2007183914.tif 000008
【図５Ａ】
2007183914.tif 000009
【図５Ｂ】
2007183914.tif 000010
【図５Ｃ】
2007183914.tif 000011
【図５Ｄ】
2007183914.tif 000012
【図５Ｅ】
2007183914.tif 000013
【図５Ｆ】
2007183914.tif 000014
【図６】
2007183914.tif 000015